(57)【要約】【課題】使用者が携帯用電子装置で通信を行なう過程において、ファンの作動を暫く停止するように制御することにより、通信と使用上の品質を高めることができる。【解決手段】検出モジュール１、放熱モジュール２および中央制御モジュール３を有する。検出モジュール１は携帯用電子装置が通信状態にあるか否かを検出するのに用いられることにより、通信識別信号または非通信識別信号が生じられる。放熱モジュール２にはファン２１とファン駆動ユニット２２が含まれ、ファン駆動ユニット２２はファン２１に電気的に接続される。中央制御モジュール３は検出モジュール１とファン駆動ユニット２２に電気的に接続され、かつ検出モジュール１の通信識別信号または非通信識別信号を受信するのに用いられ、放熱モジュール２のファン駆動ユニット２２によってファン２１が起動したりまたは作動を停止したりするのを制御するように構成されている。【選択図】図１
2012231139.tif 000002
【特許請求の範囲】
【請求項１】
一個の検出モジュール（１）、一個の放熱モジュール（２）および一個の中央制御モジュール（３）を有する携帯用電子装置に用いられる放熱システムにおいて、検出モジュール（１）は携帯用電子装置が通信状態にあるか否かを検出するのに用いられて一個の通信識別信号または一個の非通信識別信号を生じ、放熱モジュール（２）には一個のファン（２１）と一個のファン駆動ユニット（２２）が含まれ、ファン駆動ユニット（２２）はファン（２１）に電気的に接続され、中央制御モジュール（３）は検出モジュール（１）とファン駆動ユニット（２２）に電気的に接続され、かつ検出モジュール（１）の通信識別信号または非通信識別信号を受信するのに用いられ、放熱モジュール（２）のファン駆動ユニット（２２）によってファン（２１）が起動したりまたは作動を停止したりするのを制御することを特徴とする携帯用電子装置に用いられる放熱システム。
【請求項２】
検出モジュール（１）は一個の赤外線検出モジュール（１ａ）からなり、赤外線検出モジュール（１ａ）には一個の赤外線射出ユニット（１１ａ）と一個の赤外線受信ユニット（１２ａ）が含まれ、赤外線射出ユニット（１１ａ）は赤外線信号を射出するのに用いられ、赤外線受信ユニット（１２ａ）は反射された赤外線信号を受信するのに用いられることを特徴とする請求項１に記載の携帯用電子装置に用いられる放熱システム。
【請求項３】
赤外線検出モジュール（１ａ）には他に一個の距離判断ユニット（１３ａ）が含まれ、距離判断ユニット（１３ａ）は反射された赤外線信号に基づいて携帯用電子装置が通信状態にあるか否かを判断するのに用いられることを特徴とする請求項２に記載の携帯用電子装置に用いられる放熱システム。
【請求項４】
距離判断ユニット（１３ａ）は赤外線受信ユニット（１２ａ）が受信した反射された赤外線信号に基づいて距離を計算することにより、携帯用電子装置が通信状態にあるか否かを判断するのに用いられることを特徴とする請求項３に記載の携帯用電子装置に用いられる放熱システム。
【請求項５】
検出モジュール（１）は一個の音声検出モジュール（１ｂ）からなり、音声検出モジュール（１ｂ）には一個の音源受信ユニット（１１ｂ）と一個の通信判断ユニット（１２ｂ）が含まれ、音源受信ユニット（１１ｂ）は音源を受信するのに用いられ、通信判断ユニット（１２ｂ）は音源受信ユニット（１１ｂ）が受信した音源は携帯用電子装置によって通信を行なって生じた音源であるか否かを判断するのに用いられることを特徴とする請求項１に記載の携帯用電子装置に用いられる放熱システム。
【請求項６】
検出モジュール（１）は一個の位置検出モジュール（１ｃ）からなり、位置検出モジュール（１ｃ）には一個の角度位置検出ユニット（１１ｃ）と一個の角度位置判断ユニット（１２ｃ）が含まれ、角度位置検出ユニット（１１ｃ）は携帯用電子装置の角度位置に変化が生じるか否かを検出するのに用いられ、角度位置判断ユニット（１２ｃ）は角度位置検出ユニット（１１ｃ）の検出結果に基づいて携帯用電子装置の角度位置が通信状態にあるか否かを判断するのに用いられることを特徴とする請求項１に記載の携帯用電子装置に用いられる放熱システム。
【請求項７】
角度位置検出ユニット（１１ｃ）は３軸加速度センサ からなることを特徴とする請求項６に記載の携帯用電子装置に用いられる放熱システム。
【請求項８】
中央制御モジュール（３）には一個の回転速度基準値が設定され、検出モジュール（１）が上記通信識別信号を発したとき、中央制御モジュール（３）は放熱モジュール（２）が停止したりまたは上記回転速度基準値より低い回転速度で運転するのを制御し、かつ検出モジュール（１）が上記非通信識別信号を発したとき、中央制御モジュール（３）は放熱モジュール（２）が上記回転速度基準値より高い回転速度で運転するのを制御することを特徴とする請求項１に記載の携帯用電子装置に用いられる放熱システム。
【請求項９】
上記回転速度基準値は放熱モジュール（２）の定格回転速度より低くなることを特徴とする請求項８に記載の携帯用電子装置に用いられる放熱システム。
【請求項１０】
ファン（２１）は軸流ファン、送風ファンまたは水平対流式ファンからなることを特徴とする請求項１、２、３、４、５、６、７、８または９に記載の携帯用電子装置に用いられる放熱システム。
【発明の詳細な説明】
【技術分野】
【０００１】
本発明は、携帯用電子装置に用いられる放熱システムに関するもので、特に、使用者が携帯用電子装置で通信を行なう過程において、ファンの作動を暫く停止するように制御することができる携帯用電子装置に用いられる放熱システムに係わるものである。
【背景技術】
【０００２】
現在、例えば携帯電話、個人用の携帯情報端末（ＰＤＡ）などの携帯情報の機能を有する携帯用電子装置においては、実際の作動の過程において各種の熱源が発生し易く、そのために携帯用電子装置の作動温度が高くなつて、携帯用電子装置が正常に作動できなくなるという問題点があった。そのため、携帯用電子装置をスムースかつ正常に動作するようにするべく、通常としては上記熱源の予定される部位に一個の放熱システムを結合することにより、携帯用電子装置が過熱によって損壊してしまうのを避けることができるようにしたものがある。
【０００３】
例えば、中華民国特許第Ｉ３０７２６１号の「放熱システム」（特許文献１を参照）においては、携帯用電子装置（例えば携帯電話または個人用の携帯情報端末）に適用する従来の放熱システムが掲示されている。上記放熱システムには一個の導流モジュールが含まれ、上記導流モジュールには少なくとも一個のファンが含まれる。上記ファンは携帯用電子装置が作動の過程において生じた熱源に対して放熱を行なうことにより、携帯用電子装置は正常に作動することができるようにとしたものである。
【先行技術文献】
【特許文献】
【０００４】
【特許文献１】中華民国特許第Ｉ３０７２６１号公報
【発明の概要】
【発明が解決しようとする課題】
【０００５】
上記のような従来の携帯用電子装置においては、一般的に次のような問題点を有している。上述した従来の放熱システムは携帯用電子装置に対して比較的よい放熱効果を提供することができるため、携帯用電子装置は正常に作動することができる。しかし、一般的に携帯用電子装置は全て通信の機能を有するため、使用者が携帯用電子装置を利用して通信を行なう過程において、通常としては上記携帯用電子装置を使用者の耳周辺に持っていくことにより、放熱システムのファンの作動により生じる噪音によって通信品質に悪影響を及ぼしてしまうだけではなく、使用者の耳に聴覚上の不快感を与えてしまうため、全体的に通信と使用上における品質が悪くなってしまうものであった。それ故に上記のような従来の携帯用電子装置にとってはさらなる改良を必要としている。
【０００６】
本発明はこのような問題点に鑑みて発明されたものであって、その主な目的とするところは、使用者が携帯用電子装置で通信を行なう過程において、ファンの作動を暫く停止するように制御することにより、通信と使用上の品質を高めることができる携帯用電子装置に用いられる放熱システムを提供することである。
【課題を解決するための手段】
【０００７】
上記目的を達成するために、本発明による携帯用電子装置に用いられる放熱システムは、一個の検出モジュール、一個の放熱モジュールおよび一個の中央制御モジュールを有する。検出モジュールは携帯用電子装置が通信状態にあるか否かを検出することにより、一個の通信識別信号または一個の非通信識別信号を発生するように用いられる。放熱モジュールには一個のファンと一個のファン駆動ユニットが含まれる。ファン駆動ユニットはファンに電気的に接続される。中央制御モジュールは検出モジュールとファン駆動ユニットに電気的に接続され、かつ検出モジュールの通信識別信号または非通信識別信号を受信するのに用いられ、放熱モジュールのファン駆動ユニットによってファンが起動したりまたは作動を停止したりするのを制御する。
【０００８】
また、本発明による携帯用電子装置に用いられる放熱システムは、検出モジュールが一個の赤外線検出モジュールからなり、赤外線検出モジュールに一個の赤外線射出ユニットと一個の赤外線受信ユニットが含まれ、赤外線射出ユニットは赤外線信号を射出するのに用いられ、赤外線受信ユニットは反射された赤外線信号を受信するのに用いられるように構成することもできる。また、赤外線検出モジュールに他に一個の距離判断ユニットが含まれ、距離判断ユニットは反射された赤外線信号に基づいて携帯用電子装置が通信状態にあるか否かを判断するのに用いられるように構成することもできる。また、距離判断ユニットは赤外線受信ユニットが受信した反射された赤外線信号に基づいて距離を計算することにより、携帯用電子装置が通信状態にあるか否かを判断するのに用いられるように構成することもできる。また、検出モジュールは一個の音声検出モジュールからなり、音声検出モジュールには一個の音源受信ユニットと一個の通信判断ユニットが含まれ、音源受信ユニットは音源を受信するのに用いられ、通信判断ユニットは音源受信ユニットが受信した音源は携帯用電子装置によって通信を行なって生じた音源であるか否かを判断するのに用いられるように構成することもできる。また、検出モジュールは一個の位置検出モジュールからなり、位置検出モジュールには一個の角度位置検出ユニットと一個の角度位置判断ユニットが含まれ、角度位置検出ユニットは携帯用電子装置の角度位置に変化が生じるか否かを検出するのに用いられ、角度位置判断ユニットは角度位置検出ユニットの検出結果に基づいて携帯用電子装置の角度位置が通信状態にあるか否かを判断するのに用いられるように構成することもできる。また、角度位置検出ユニットは３軸加速度センサ からなることもできる。また、中央制御モジュールには一個の回転速度基準値が設定され、検出モジュールが通信識別信号を発する場合、中央制御モジュールは放熱モジュールが停止したりまたは回転速度基準値より低い回転速度で運転するのを制御し、かつ検出モジュールが非通信識別信号を発する場合、中央制御モジュールは放熱モジュールが回転速度基準値より高い回転速度で運転するのを制御するように構成することもできる。また、回転速度基準値は放熱モジュールの定格回転速度より低くなるように構成することもできる。また、ファンは軸流ファン、送風ファンまたは水平対流式ファンからなることもできる。
【発明の効果】
【０００９】
本発明の携帯用電子装置に用いられる放熱システムによれば、使用者が携帯用電子装置で通信を行なう過程において、ファンの作動を暫く停止するように制御することにより、通信と使用上の品質を高めることができるという利点がある。
【図面の簡単な説明】
【００１０】
【図１】図１は、本発明の携帯用電子装置に用いられる放熱システムの構造のブロック図である。
【図２】図２は、本発明の携帯用電子装置に用いられる放熱システムの検出モジュールの実施例１の構造のブロック図である。
【図３】図３は、本発明の携帯用電子装置に用いられる放熱システムの検出モジュールの実施例２の構造のブロック図である。
【図４】図４は、本発明の携帯用電子装置に用いられる放熱システムの検出モジュールの実施例３の構造のブロック図である。
【図５】図５は、本発明の携帯用電子装置に用いられる放熱システムの検出モジュールの実施例４の構造のブロック図である。
【発明を実施するための形態】
【００１１】
本発明の実施の形態について、以下、図面を参照して説明する。
【００１２】
図１は本発明の携帯用電子装置に用いられる放熱システムの構造のブロック図である。図１を参照すると、本発明の携帯用電子装置に用いられる放熱システムには少なくとも一個の検出モジュール１、一個の放熱モジュール２および一個の中央制御モジュール３が含まれる。検出モジュール１は中央制御モジュール３に電気的に接続され、放熱モジュール２も中央制御モジュール３に電気的に接続される。その中に、上記電気的な接続方式は無線による接続または有線による接続からなることができる。
【００１３】
検出モジュール１は一個の携帯用電子装置（例えば、携帯電話、個人用携帯情報端末、タブレットパソコンなど）が通信状態にあるか否かを検出できる各種のモジュール（これの詳細については後に説明する。）からなることができる。検出モジュール１は携帯用電子装置が通信状態にあると判断したとき、一個の通信識別信号を中央制御モジュール３まで伝送することができる。その中に、上記携帯用電子装置の通信状態として現在執行している音声、文字または写真などの資料の伝送作業、例えば、携帯電話で音声の通話または写真、文章によるメールの伝送などが含まれ、これらは全て本発明で定義される通信状態に属する。
【００１４】
放熱モジュール２には一個のファン２１と一個のファン駆動ユニット２２が含まれる。ファン２１は軸流ファン、送風ファンまたは水平対流式ファンなどからなることができ、ファン２１によって対流を生じさせて放熱作用を提供することにより、携帯用電子装置の作動過程において生じる熱源の温度を有効に低下させることができる。ファン駆動ユニット２２はそれぞれ中央制御モジュール３とファン２１に電気的に接続され、かつファン駆動ユニット２２によってファン２１が一個の定格回転速度或いは一個の低い回転速度で運転するように起動したり、またはファン２１の作動を停止したりすることができる。その中に上記低い回転速度は上記定格回転速度より低くなり、かつファン駆動ユニット２２はファン２１の内部または外部に設置される。
【００１５】
中央制御モジュール３は検出モジュール１の通信識別信号または非通信識別信号を検出した後、放熱モジュール２のファン駆動ユニット２２を通じてファン２１を起動させたりまたは作動を停止したりするように制御することができる。
【００１６】
本発明の携帯用電子装置に用いられる放熱システムの検出モジュール１は、上述した技術概念に基づいて下記の数種類の実施例（数種類の実施例しか例示していないが、同様な技術概念に属する実施例は依然として本発明の中に含まれるべきである。）を区分することができ、また、下記のそれぞれの実施例の通信状態は、携帯電話による通話を例に挙げるが、依然としてその他の情況における通信状態に適用することもできる。
【実施例１】
【００１７】
図２は本発明の携帯用電子装置に用いられる放熱システムの検出モジュールの実施例１の構造のブロック図である。図２を参照すると、検出モジュールは一個の赤外線検出モジュール１ａからなり、赤外線検出モジュール１ａには一個の赤外線射出ユニット１１ａ、一個の赤外線受信ユニット１２ａおよび一個の距離判断ユニット１３ａが含まれる。赤外線射出ユニット１１ａは赤外線信号を射出するのに用いられる。赤外線受信ユニット１２ａは反射された赤外線信号を受信するのに用いられる。距離判断ユニット１３ａは上記反射された赤外線信号に基づいて赤外線検出モジュール１ａと使用者の間の距離を算出することができる。
【００１８】
さらに詳しく言えば、使用者が携帯用電子装置を手に持ち、そして顔に近づけて通信を行なう場合、赤外線射出ユニット１１ａから射出される赤外線信号は使用者の顔にぶつかって反射された赤外線信号を生じ、赤外線受信ユニット１２ａは反射された赤外線信号を受信するのに用いられる。この時、距離判断ユニット１３ａは、赤外線受信ユニット１２ａが受信した反射された赤外線信号に基づいて、携帯用電子装置と使用者の顔の間の距離を算出する。上記距離が一個の予定値（使用者の需要によって設定される。）より小さくなると、赤外線検出モジュール１ａは携帯用電子装置が通信状態にあると判断し、かつ一個の通信識別信号を中央制御モジュール３まで伝送する。また、上記距離が一個の予定値より大きくなると、赤外線検出モジュール１ａは携帯用電子装置が既に通信を停止した状態にあると判断し、他に一個の非通信識別信号を中央制御モジュール３まで伝送する（赤外線検出距離の技術の詳細は上記技術を熟知した者には容易に理解できるため、ここではその説明を割愛する。）。
【００１９】
また、赤外線検出モジュール１ａには赤外線射出ユニット１１ａと赤外線受信ユニット１２ａのみを含むようにも構成できる。この場合、距離の判断を行なう必要がなく、赤外線射出ユニット１１ａが赤外線信号を射出した後、例えば赤外線受信ユニット１２ａが反射された赤外線信号を受信すると、直ちに携帯用電子装置は通信状態にあると認定する。これにより、中央制御モジュール３は赤外線検出モジュール１ａが発した通信識別信号または非通信識別信号に基づいて、放熱モジュール２の作動を起動するか否か、または停止するか否かを判断することができる。
【００２０】
さらに詳しく言えば、上記携帯用電子装置の設計上の需要性に応じ、中央制御モジュール３には一個の回転速度基準値が設定され、かつ上記回転速度基準値は比較的放熱モジュール２の定格回転速度より低くなる。これにより、赤外線検出モジュール１ａが上記通信識別信号を発する場合、中央制御モジュール３は放熱モジュール２が上記回転速度基準値より低い回転速度で運転するように制御し、ひいては放熱モジュール２を停止する。また、赤外線検出モジュール１ａが上記非通信識別信号を発する場合、中央制御モジュール３は放熱モジュール２が上記回転速度基準値より高い回転速度で運転するように制御し、好ましくは、放熱モジュール２が定格回転速度で運転するのを制御する。
【実施例２】
【００２１】
図３は本発明の携帯用電子装置に用いられる放熱システムの検出モジュールの実施例２の構造のブロック図である。図３を参照すると、検出モジュールは一個の音声検出モジュール１ｂからなり、音声検出モジュール１ｂには一個の音源受信ユニット１１ｂと一個の通信判断ユニット１２ｂが含まれる。音源受信ユニット１１ｂは音源を受信する（例えばマイクなどを介して）のに用いられる。通信判断ユニット１２ｂは音源受信ユニット１１ｂが受信した音源は通信によって生じられる音源であるか否かを判断するのに用いられる。
【００２２】
さらに詳しく言えば、使用者が携帯用電子装置を手に持ち、そして顔に近づけて通信を行なう場合、音源受信ユニット１１ｂは使用者が通信によって生じられる音源を受信することができる。この時、通信判断ユニット１２ｂは、音源受信ユニット１１ｂが受信した音源に基づいて、携帯用電子装置が通信状態または通信を停止する状態にあるか否かを判断することにより、選択的に通信識別信号または非通信識別信号を発する。その他に、通信判断ユニット１２ｂが判断を行なう場合、さらに進んで、例えば、受信される音源の持続的な時間と音量の大きさなどの要素を加えることにより、音声検出モジュール１ｂが誤って判断してしまうなどの情況を避けることができる（音源受信の方式を使用して通信状態にあるか否かを判断する技術の詳細は上記技術を熟知した者には容易に理解できるため、ここではその説明を割愛する。）。これにより、中央制御モジュール３は音声検出モジュール１ｂが発した通信識別信号または非通信識別信号に基づいて、放熱モジュール２の作動を起動するか否か、または停止するか否かを判断することができる。
【実施例３】
【００２３】
図４は本発明の携帯用電子装置に用いられる放熱システムの検出モジュールの実施例３の構造のブロック図である。図４を参照すると、検出モジュールは一個の位置検出モジュール１ｃからなり、位置検出モジュール１ｃには一個の角度位置検出ユニット１１ｃと一個の角度位置判断ユニット１２ｃが含まれる。角度位置検出ユニット１１ｃは、例えば、３軸加速度センサまたはその他の携帯用電子装置の角度位置に変化が生じているか否かを検出することができる装置からなる。角度位置判断ユニット１２ｃは角度位置検出ユニット１１ｃの検出結果に基づいて携帯用電子装置の角度位置は通信状態にあるか否かを判断することができる。
【００２４】
さらに詳しく言えば、仮に角度位置検出ユニット１１ｃが３軸加速度センサからなる場合、一般的に３軸加速度計にはＸ軸、Ｙ軸とＺ軸が含まれ、その中に同じ軸の二つの方向はそれぞれ＋と−の符号で区別し、例えば３軸加速度計にはＸ＋、Ｘ−、Ｙ＋、Ｙ−、Ｚ＋、Ｚ−などの六つの検出方向が提供される。使用者が携帯用電子装置を手に持って通信を行なう場合、携帯用電子装置の角度位置は相対的に変化が生じるため、角度位置検出ユニット１１ｃは直ちに携帯用電子装置の角度位置に変化が生じたことを検出することができる（３軸加速度計を使用して角度位置を判断する技術の詳細は上記技術を熟知した者には容易に理解できるため、ここではその説明を割愛する。）。この時、角度位置判断ユニット１２ｃは携帯用電子装置の角度位置が生じた変化に基づいて、さらに進んで携帯用電子装置が通信状態または通信を停止した状態にあるか否かを判断することにより、選択的に通信識別信号または非通信識別信号を発する。これにより、中央制御モジュール３は角度位置判断ユニット１２ｃが発した通信識別信号または非通信識別信号に基づいて、放熱モジュール２の作動を起動するか否か、または停止するか否かを判断することができる。
【実施例４】
【００２５】
図５は本発明の携帯用電子装置に用いられる放熱システムの検出モジュールの実施例４の構造のブロック図である。図４を参照すると、検出モジュールは上述した赤外線検出モジュール１ａ、音声検出モジュール１ｂおよび位置検出モジュール１ｃの内の少なくとも二種類の組合せからなる。これにより、検出モジュールは数組の検出モジュールを利用し、さらに精確に携帯用電子装置が通信状態または通信を停止する状態にあるか否かを判断することができる。
【００２６】
また、使用者が携帯用電子装置を利用して通信を行なう場合、例えば、携帯用電子装置を使用者の耳の周辺に持っていくかもしれず、或いはイヤホンまたはブルートゥースなどの部材を利用して通信を行なう。このように、本発明において携帯用電子装置が通信状態にあるか否かを判断する場合は、上記各種の状態を含むことができる。しかし、実際に使用する過程において、イヤホンまたはブルートゥースなどの部材を利用して通信を行なう場合は、比較的に使用者に通信の品質に影響を及ぼすことがない。そのため、本発明においてはさらに携帯用電子装置を使用者の耳の周辺に持っていくか否かだけを通信状態の判断基準とすることにより、使用者がイヤホンまたはブルートゥースなどの部材を利用して通信を行なう場合は、放熱モジュール２は依然として正常に作動することができるため、よりよい放熱効果を提供することができる。
【００２７】
上述の如く、本発明の携帯用電子装置に用いられる放熱システムを各種の携帯用電子装置に応用することができ、その中に検出モジュール１（赤外線検出モジュール１ａ、音声検出モジュール１ｂと位置検出モジュール１ｃの内の少なくとも一種）によって携帯用電子装置が通信状態にあるか否かを判断することができるため、使用者が携帯用電子装置を利用して通信を行なう過程において、さらに中央制御モジュール３を利用して放熱モジュール２のファン２１が暫く作動を停止するのを制御することにより、使用者が携帯用電子装置を耳の周辺に持っていって通信を行なう場合、ファン２１から生じる噪音によってその通信と使用品質に影響を及ぼしてしまうのを有効に回避することができる。さらに重要なことは、使用者が通信を停止した後、中央制御モジュール３によって依然として放熱モジュール２のファン２１が新たに作動するのを制御することにより、携帯用電子装置の作動過程において生じる熱源に対して放熱を行なうことができるため、携帯用電子装置は常に正常に作動させることができる。全体からいえば、本発明の携帯用電子装置に用いられる放熱システムによれば、通信と使用品質を高めることができるとともに、よりよい放熱効果を維持することができるなどの効果を有する。
【００２８】
本発明は、その精神とび必須の特徴事項から逸脱することなく他のやり方で実施することができる。従って、本明細書に記載した好ましい実施例は例示的なものであり、限定的なものではない。
【符号の説明】
【００２９】
１    検出モジュール
１ａ    赤外線検出モジュール
１１ａ    赤外線射出ユニット
１２ａ    赤外線受信ユニット
１３ａ    距離判断ユニット
１ｂ    音声検出モジュール
１１ｂ    音源受信ユニット
１２ｂ    通信判断ユニット
１ｃ    位置検出モジュール
１１ｃ    角度位置検出ユニット
１２ｃ    角度位置判断ユニット
２    放熱モジュール
２１    ファン
２２    ファン駆動ユニット
３    中央制御モジュール
【図１】
2012231139.tif 000003
【図２】
2012231139.tif 000004
【図３】
2012231139.tif 000005
【図４】
2012231139.tif 000006
【図５】
2012231139.tif 000007